(57)【特許請求の範囲】
【請求項１】
静止画撮影の指示を行う第１の撮影指示部と、
動画撮影の指示を行う第２の撮影指示部と、
上記静止画撮影及び動画撮影を含む撮影モードを設定する撮影モード設定手段と、
上記第２の撮影指示部を、上記動画撮影の指示を含む少なくとも２つ以上の撮影に関わる機能として選択的に設定する第２の撮影指示部カスタマイズ手段と、
上記静止画撮影を行う静止画撮影モードを所定の静止画撮影モードに変更する静止画撮影モード変更手段と、
を有し、
上記第２の撮影指示部カスタマイズ手段は、上記静止画撮影モード変更手段によってバルブ撮影に関する撮影モードに変更された場合に、上記第２の撮影指示部を静止画撮影に関する指示を行うように切り替え可能に構成されたことを特徴とする撮影装置。
【請求項２】
上記第２の撮影指示部カスタマイズ手段は、上記撮影モード設定手段によって動画撮影モードが設定されたときは、上記第２の撮影指示部の撮影機能として動画撮影の開始および停止に関わる機能のみ設定することを特徴とする請求項１に記載の撮影装置。
【請求項３】
上記第２の撮影指示部カスタマイズ手段は、上記静止画撮影モード変更手段によってバルブ撮影に関する撮影モードに変更された場合に、上記第２の撮影指示部をバルブ撮影の開始および終了に関する指示を行うようにカスタマイズすることを特徴とする請求項１に記載の撮影装置。
【請求項４】
上記静止画撮影モード変更手段によってバルブ撮影に関する撮影モードに変更された場合には、上記第１の撮影指示部による撮影指示と、上記第２の撮影指示部による撮影指示のいずれの指示も許可するように構成されたことを特徴とする請求項１に記載の撮影装置。
【請求項５】
静止画撮影の指示を行う第１の撮影指示部と、動画撮影の指示を行う第２の撮影指示部を有する撮影装置の制御方法であって、
バルブ撮影に関する撮影モードを含む所定の静止画撮影モードまたは動画撮影モードのいずれかが設定されているかを判定し、
上記判定の結果、上記所定の静止画撮影モードが設定された場合には、予め決められた機能を上記第２の撮影指示部に割り当て、
上記バルブ撮影に関する撮影モードに変更されたときは、上記第２の撮影指示部を静止画撮影に関する指示を行うように切り替え可能とする、
ことを特徴とする撮影装置の制御方法。
【発明の詳細な説明】
【技術分野】
【０００１】
本発明は、撮影装置および撮影装置の制御方法に関し、詳しくは、静止画撮影を指示する第１の指示部と、動画撮影を指示する第２の指示部を有し、両指示部の操作性の向上を図るようにした撮影装置および撮影装置の制御方法に関する。
【背景技術】
【０００２】
近年、静止画撮影に加えて動画撮影を可能としたカメラが提供されている。この種のカメラにおいては、撮影者の意図に応じて静止画撮影と動画撮影のいずれであっても直ちに開始できるようにするために、主に動画を撮影するための動画撮影用専用操作部材と、主に静止画を撮影するための静止画撮影用専用操作部材を配置している。そして、動画撮影中の静止画撮影と、静止画撮影待機中の動画撮影は、それぞれ独立した操作系としている。
【０００３】
例えば、特許文献１には、動画撮影の開始及び終了を行うスイッチと、静止画撮影を行うスイッチを有し、動画撮影が行われている間に静止画撮影用のスイッチが押された場合には、動画撮影を中止し、自動的または選択により静止画記録を行う静止画・動画両用カメラが開示されている。
【先行技術文献】
【特許文献】
【０００４】
【特許文献１】特許３６７３５２８号公報
【発明の概要】
【発明が解決しようとする課題】
【０００５】
このように静止画撮影と動画撮影の両方を可能とした静止画・動画両用カメラは提供されているが、一方の撮影制御シーケンスが、他方の撮影制御シーケンスと矛盾する場合には、様々な撮影場面で問題となる。そのため、静止画撮影と動画撮影を独立の操作系に構成しても、利用できないモードが生じ無駄になってしまうことがある。また、独立の操作釦とすることにより利便性が向上しても、操作釦の増加は、限りある配置スペースの中では操作釦の密度が上がるため、操作が煩雑になり、また誤操作による撮影機会を失うリスクを増大させている。このため、単純な操作部材の追加は好ましいことではない。
【０００６】
本発明は、このような事情を鑑みてなされたものであり、静止画撮影の指示を行う第１の指示部と動画撮影の指示を行う第２の指示部を有する撮影装置において、撮影場面での矛盾が生ぜず、また独立操作系が無駄にならないようにした撮影装置および撮影装置の制御方法を提供することを目的とする。
【課題を解決するための手段】
【０００７】
上記目的を達成するため第１の発明に係わる撮影装置は、静止画撮影の指示を行う第１の撮影指示部と、動画撮影の指示を行う第２の撮影指示部と、上記静止画撮影及び動画撮影を含む撮影モードを設定する撮影モード設定手段と、上記第２の撮影指示部を、上記動画撮影の指示を含む少なくとも２つ以上の撮影に関わる機能として選択的に設定する第２の撮影指示部カスタマイズ手段と、上記静止画撮影を行う静止画撮影モードを所定の静止画撮影モードに変更する静止画撮影モード変更手段と、を有し、上記第２の撮影指示部カスタマイズ手段は、上記静止画撮影モード変更手段によってバルブ撮影に関する撮影モードに変更された場合に、上記第２の撮影指示部を静止画撮影に関する指示を行うように切り替え可能に構成される。
【０００８】
第２の発明に係わる撮影装置は、上記第１の発明において、上記第２の撮影指示部カスタマイズ手段は、上記撮影モード設定手段によって動画撮影モードが設定されたときは、上記第２の撮影指示部の撮影機能として動画撮影の開始および停止に関わる機能のみ設定する。
第３の発明に係わる撮影装置は、上記第１の発明において、上記第２の撮影指示部カスタマイズ手段は、上記静止画撮影モード変更手段によってバルブ撮影に関する撮影モードに変更された場合に、上記第２の撮影指示部をバルブ撮影の開始および終了に関する指示を行うようにカスタマイズする。
第４の発明に係わる撮影装置は、上記第１の発明において、上記静止画撮影モード変更手段によってバルブ撮影に関する撮影モードに変更された場合には、上記第１の撮影指示部による撮影指示と、上記第２の撮影指示部による撮影指示のいずれの指示も許可するように構成される。
【００１２】
第５の発明に係わる撮影装置の制御方法は、静止画撮影の指示を行う第１の撮影指示部と、動画撮影の指示を行う第２の撮影指示部を有する撮影装置の制御方法であって、バルブ撮影に関する撮影モードを含む所定の静止画撮影モードまたは動画撮影モードのいずれかが設定されているかを判定し、上記判定の結果、上記所定の静止画撮影モードが設定された場合には、予め決められた機能を上記第２の撮影指示部に割り当て、上記バルブ撮影に関する撮影モードに変更されたときは、上記第２の撮影指示部を静止画撮影に関する指示を行うように切り替え可能とする。
【発明の効果】
【００１３】
本発明によれば、静止画撮影を指示する第１の指示部と動画撮影を指示する第２の指示部を有する撮影装置において、撮影場面での矛盾が生ぜず、また独立操作系が無駄にならないようにした撮影装置および撮影装置の制御方法を提供することができる。
【図面の簡単な説明】
【００１４】
【図１】本発明の第１実施形態に係わるカメラの主として電気的構成を示すブロック図である。
【図２】本発明の第１実施形態に係わるカメラの背面側から見た外観斜視図である。
【図３】本発明の第１実施形態に係わるカメラの撮影モードダイヤルの操作によって選択されたシーンモード応じて変化する撮影モードを説明する図である。
【図４】本発明の第１実施形態に係わるカメラのメニュー画面において、動画釦の機能の設定を説明する図である。
【図５】本発明の第１実施形態に係わるカメラのメイン動作を示すフローチャートである。
【図６】本発明の第１実施形態に係わるカメラの動画撮影の動作を示すフローチャートである。
【図７】本発明の第１実施形態に係わるカメラの電源オン／撮影モード変更の動作を示すフローチャートである。
【図８】本発明の第１実施形態に係わるカメラのＦｌａｇ２内容変更の動作を示すフローチャートである。
【図９】本発明の第１実施形態に係わるカメラのＦｌａｇ２内容変更の動作の第１の変形例を示すフローチャートである。
【図１０】本発明の第１実施形態に係わるカメラにおいて、動画釦がモード依存機能に設定された場合の撮影動作を示す図である。
【図１１】本発明の第１実施形態に係わるカメラのＦｌａｇ２内容変更の動作の第２の変形例を示すフローチャートである。
【図１２】本発明の第２実施形態に係わるカメラのメイン動作を示すフローチャートである。
【発明を実施するための形態】
【００１５】
以下、本発明を適用したカメラを用いて好ましい実施形態について説明する。本発明の好ましい実施形態に係わるカメラは、デジタルカメラであり、撮像部を有し、この撮像部によって被写体像を画像データに変換し、この変換された画像データに基づいて、被写体像を本体の背面に配置した表示部にライブビュー表示する。撮影者はライブビュー表示を観察することにより、構図や静止画や動画でのシャッタタイミングを決定する。
【００１６】
また、本発明の好ましい実施形態に係わるカメラでは、静止画撮影用のレリーズ釦（第１のスイッチに連動する）と動画撮影用の動画釦（第２のスイッチに連動する）を有し、レリーズ釦を操作すると、静止画の画像データが記録媒体に記録され、動画釦を操作すると、動画の画像データの記録が開始され、再度、動画釦を操作すると動画の画像データの記録が停止される。記録媒体に記録された画像データは、再生モードを選択すると、表示部に再生表示することができる。
【００１７】
また、静止画の撮影にあたっては、バルブ撮影モードを選択することができる。バルブ撮影は、数秒から数十分の長時間にわたって露出を行うものであるが、バルブ撮影時に不用意に動画釦を押下げ、バルブ撮影を停止させ、動画撮影を開始させると、静止画撮影としては不適切である。しかもバルブ撮影を行うような状況は暗い被写体であり、動画撮影には適していない。したがって、バルブ撮影モードが選択されている場合には、動画撮影よりも静止画撮影を優先することが望ましい。そこで、本発明の好ましい実施形態においては、バルブ撮影モードが選択されると、動画撮影を禁止している。また、バルブ撮影の終了を指示するタイム機能があると便利である。そこで、動画釦にタイム機能を割り当てるようにしている。
【００１８】
さらに、静止画の撮影にあたっては、ＡＥブラケット撮影モードを選択することができる。ＡＥブラケット撮影は、露出条件を自動的に変化させながら複数枚の静止画撮影を行うものである。ＡＥブラケット撮影時に不用意に動画釦を押下げ、ＡＥブラケット撮影を停止させ、動画撮影を開始させると、静止画撮影としてはそぐわない。また、ＡＥブラケット撮影は、一連の撮影を前提している撮影手法であることから、いつ終わるか分からない動画撮影の間、ＡＥブラケット撮影用に静止画パラメータを保持してなければならず、カメラ制御に負担であるばかりでなく、その保持時間によっては、全くブラケット撮影の意思から乖離してしまう。したがって、ＡＥブラケット撮影モードが選択されている場合には、動画撮影よりも静止画撮影を優先することが望ましい。そこで、本発明の好ましい実施形態においては、ＡＥブラケット撮影モードが選択されると、動画撮影を禁止すると共に、動画釦にＡＥロックとＡＦロック機能を割り当てるようにしている。
【００１９】
上述のバルブ撮影モード、ＡＥブラケット撮影モード以外にも、本発明の好ましい実施形態においては、パノラマ撮影モード、多重露出撮影モード等が選択された場合には、動画撮影を禁止すると共に、動画釦には、動画撮影の開始／停止機能以外の機能を割り当てるようにしている。
【００２０】
以下、図面に従って本発明の第１実施形態について説明する。図１は、本実施形態に係わるカメラ１００の主として電気的構成を示すブロック図である。撮影レンズ１０１の光軸上に、絞り機構１０３、シャッタ１０５および撮像素子１０７が配置されている。撮像素子１０７の出力はＡ／Ｄ変換部１０９に接続され、Ａ／Ｄ変換部１０９の出力はメモリ１１０に接続されている。メモリ１１０は画像処理部１１１とシステム制御部１１６に接続されている。システム制御部１１６には、撮像制御部１０８、シャッタ制御部１０６、絞り制御部１０４、レンズ制御部１０２、露出制御部１１２、ＡＦ処理部１１３、フラッシュ制御部１２１、不揮発性メモリ１１８、外部メモリ１１４、表示部１１５、操作部１１７、電源制御部１２０がそれぞれ接続されている。上述の撮像制御部１０８は撮像素子１０７に接続されており、シャッタ制御部１０６はシャッタ１０５に接続されており、絞り制御部１０４は絞り１０３に接続されており、レンズ制御部１０２は撮影レンズ１０１に接続されている。また、電源制御部１２０は電源部１１９に接続されており、フラッシュ制御部１２１はフラッシュ充電部１２２とフラッシュ発光部１２３にそれぞれ接続されている。
【００２１】
撮影レンズ１０１は、被写体光束を撮像素子１０７に集光させ、被写体像を結像させるための光学系である。この撮影レンズ１０１は、システム制御部１１６からの指示に応じて動作するレンズ制御部１０２により光軸方向に移動され、焦点状態が変化する。絞り機構１０３は、撮影レンズ１０１を介して撮像素子１０７に入射する被写体光束の入射量を調節する。絞り機構１０３は、システム制御部１１６からの指示に応じて動作する絞り制御部１０４により開口量が制御される。
【００２２】
シャッタ１０５は、撮影レンズ１０１によって形成される被写体像の光束の開閉を行うものであり、公知のレンズシャッタやフォーカルプレーンシャッタ等によって構成される。シャッタ１０５は、システム制御部１１６からの指示に応じて動作するシャッタ制御部１０６によりシャッタ開口時間（シャッタ速度値）が制御される。
【００２３】
撮像素子１０７は、ＣＭＯＳイメージセンサやＣＣＤイメージセンサ等の二次元撮像センサであり、前面に配置されたベイヤ―配列のカラーフィルタと、このカラーフィルタに対応して配列されたフォトダイオード等の光電変換素子から構成される。各カラーフィルタとこれに対応する各光電変換素子によって各画素が、また画素群によって撮像領域が構成される。撮像素子１０７は、撮影レンズ１０１により集光された光を各画素で受光し光電流に変換し、この光電流をコンデンサに蓄積し、アナログ電圧信号（画像信号）としてＡ／Ｄ変換部１０９に出力する。撮像制御部１０８は、システム制御部１１６からの指示に応じて撮像素子１０７の動作制御を行う。
【００２４】
Ａ／Ｄ変換部１０９は、撮像素子１０７から出力されるアナログ電圧信号（画像信号）をデジタル画像信号（画像データ）に変換する。メモリ１１０は、Ａ／Ｄ変換部１０９において得られた画像データや、画像処理部１１１において処理された画像データ等、各種データを一時的に記憶する記憶部である。なお、本明細書においては、撮像素子１０７から出力される画像信号に基づく信号であれば、Ａ／Ｄ変換部１０９によってＡ／Ｄ変換された信号のみならず画像処理された信号も含めて画像データと称する。
【００２５】
画像処理部１１１は、メモリ１１０に一時記憶された画像データを読み出し、この画像データに対して、ホワイトバランス補正処理、同時化処理、色変換処理等の画像処理を行う。また、画像処理部１１１は、後述する外部メモリ１１４に記録する際に画像圧縮を行い、また外部メモリ１１４から読み出した圧縮された画像データの伸張を行う。
【００２６】
露出制御部１１２はメモリ１１０に一時記憶された画像データを用いて被写体輝度（被写体を含むシーンの明るさ）を算出する。なお、専用の測光センサを用いて被写体輝度を算出するようにしても勿論かまわない。ＡＦ（Auto Focus）処理部１１３は、メモリ１１０に一時記憶された画像データから高周波成分の信号を抽出し、ＡＦ積算処理により合焦評価値を取得する。システム制御部１１６は、合焦評価値に基づいてレンズ制御部１０２を通じて、撮影レンズ１０１が合焦位置となるように駆動制御を行う。なお、ＡＦ処理部１１３は、ＴＴＬ位相差ＡＦセンサ等、専用のセンサを設け、この専用センサの出力に基づいて撮影レンズ１０１の焦点ずれ量を求めるようにしても勿論かまわない。露出制御部１１２およびＡＦ処理部１１３は、静止画撮影時と動画撮影時ではそれぞれの撮影モードに適した処理を行い、両者の処理は異なっている。
【００２７】
システム制御部１１６は、ＣＰＵ等を含むＡＳＩＣで構成され、撮像制御部１０８やフラッシュ制御部１２１等のカメラ１００の各種シーケンスを統括的に制御する。操作部１１７は、電源釦１１７ａ（以下、釦類は図２参照）、レリーズ釦１１７ｂ、撮影モードダイヤル１１７ｃ、動画釦１１７ｄ、ファンクション釦１１７ｅ、十字釦１１７ｆ、ＯＫ釦１１７ｇ、メニュー釦、各種入力キー等の操作部材である。ユーザが操作部１１７のいずれかの操作部材を操作すると、システム制御部１１６は、ユーザの操作に応じた各種シーケンスを実行する。
【００２８】
操作部１１７の内の電源釦１１７ａはカメラ１００の電源のオンオフを指示するための操作部材であり、電源釦１１７ａが押されるとシステム制御部１１６は電源オンとし、再度押されると電源オフとする。レリーズ釦１１７ｂは、１ｓｔレリーズスイッチと２ｎｄレリーズスイッチ（第１のスイッチともいう）の２段スイッチを有している。レリーズ釦１１７ｂが半押しされると１ｓｔレリーズスイッチがオンとなり、半押しから更に押し込まれ全押しされると２ｎｄレリーズスイッチがオンとなる。１ｓｔレリーズスイッチがオンとなると、システム制御部１１６は、ＡＥ処理やＡＦ処理等撮影準備シーケンスを実行する。また２ｎｄレリーズスイッチがオンとなると、システム制御部１１６は、静止画の撮影シーケンスを実行し、撮影を行う。
【００２９】
操作部１１７の内の動画釦１１７ｄは、第２のスイッチに連動しており、動画撮影の開始と停止を指示する釦である。最初に動画釦１１７ｄを押下げると動画撮影を開始し、再度、動画釦１１７ｄを押下げると動画撮影を停止する。しかし、この動画釦１１７ｄの機能は、図４を用いて後述するように、メニュー画面において、動画撮影以外の機能を割り当てることも可能であり、この場合には割り当てられた機能で動作する。前述のシステム制御部１１６等は、第２のスイッチを、動画撮影の開始及び停止機能を含み少なくとも２つ以上の撮影機能を選択的に設定する第２のスイッチカスタマイズ手段として機能する。
【００３０】
撮影モードダイヤル１１７ｃは、オートモード、絞り優先モード、シャッタ速度優先モード、ムービー撮影モード（動画撮影モード）、シーンモード、バルブ撮影モード等を設定するためのダイヤルであり、詳しくは図３を用いて後述する。撮影モードダイヤル１１７ｃ等の撮影モードの変更操作部材とシステム制御部１１６等は、静止画撮影を行う静止画撮影モードを、バルブ撮影モード等の所定の静止画撮影モードに変更する静止画撮影モード変更手段として機能する。
【００３１】
外部メモリ１１４は、例えば、カメラ本体に着脱自在に記憶媒体であり、画像処理部１１１において圧縮された画像データおよびその付随データが記録される。なお、画像データ等を記録するための記録媒体として、カメラ本体に着脱可能な外部メモリに限らず、カメラ本体に内蔵のハードディスク等の記録媒体であってもかまわない。
【００３２】
表示部１１５は、カメラ本体の背面等に配置された液晶モニタ１１５ａ（図２参照）等を含み、画像データに基づいてライブビュー表示を行う。また、表示部１１５は、外部メモリ１１４に記録された撮影画像の再生表示を行い、さらに露出制御値等の表示や撮影モード等設定のためのメニュー画面の表示を行う。このメニュー画面において、動画釦１１７ｄの機能や、ファンクション釦（Ｆｎ釦）１１７ｅの機能設定等を行う。なお、画像等を表示できるものであれば、液晶モニタに限らず、有機ＥＬ等のディスプレイでもよい。
【００３３】
不揮発性メモリ１１８は、電気的に書き換え可能な不揮発性メモリであり、カメラ１００の動作に必要な各種パラメータを記憶している。また、不揮発性メモリ１１８は、システム制御部１１６において実行するプログラムも記憶している。システム制御部１１６は、不揮発性メモリ１１８に記憶されているプログラムに従い、また不揮発性メモリ１１８に記憶されているパラメータを読み込み、各種シーケンスを実行する。
【００３４】
電源部１１９は、カメラ１００の各部の動作に必要な電力を供給し、例えば、２次電池等の電源電池で構成される。電源制御部１２０は、電源部１１９を構成する電池の電源電圧や残量の検出等、電源部１１９の制御を行う。
【００３５】
フラッシュ制御部１２１は、システム制御部１１６からの指示に応じてフラッシュ充電部１２２における充電動作、およびフラッシュ発光部１２３における発光動作を制御する。フラッシュ充電部１２２は、電源部１１９の電源電圧を昇圧する昇圧回路や、ここで昇圧された電圧でエネルギを蓄積するコンデンサを有し、フラッシュ発光部１２３の発光を行うに必要なエネルギを蓄積する。フラッシュ発光部１２３は、例えば、キセノン（Ｘｅ）管等の発光管や反射傘を備えており、フラッシュ制御部１２１から発光指示を受信した際に、フラッシュ充電部１２２のコンデンサに蓄積されたエネルギを利用して発光する。
【００３６】
次に、本実施形態に係わるカメラ１００の外観について、図２を用いて説明する。図２は、背面側からみたカメラ１００の外観図であり、カメラ本体１０に交換レンズ２０が装着されている。カメラ本体１０の上面には、電源釦１１７ａ、レリーズ釦１１７ｂ、撮影モードダイヤル１１７ｃが配置されている。
【００３７】
また、カメラ本体１０の背面には、液晶モニタ１１５ａが配置されており、これによって被写体像のライブビュー表示やメニュー画面表示等の各種表示を行う。カメラ本体１０の背面の右上側には、動画釦１１７ｄ、ファンクション釦１１７ｅが配置されており、また、これらの釦の下側には、十字釦１１７ｇとＯＫ釦１１７ｆが配置されている。十字釦１１７ｇは、液晶モニタ１１５ａに表示されるメニュー画面等において、カーソルを画面上で移動させ、ＯＫ釦１１７ｆを押下げるとカーソルによって選択された項目を確定させることができる。
【００３８】
次に、撮影モードダイヤル１１７ｃによって設定される撮影モードについて、図３を用いて説明する。撮影モードダイヤル１１７ｃは、回転自在に軸支されており、撮影モードダイヤル１１７ｃ上には、シーンモード１１７ｃａ、ムービー撮影モード（動画撮影モード）１１７ｃｂ、バルブ撮影モード１１７ｃｃ等を表わす記号や絵記号が描かれている。撮影モードダイヤル１１７ｃの近傍には撮影モード指標１１７ｃｇが刻印されており、撮影モードダイヤル１１７ｃを回転操作させ、撮影モード指標１１７ｃｇと一致させると、その一致した撮影モードが設定される。
【００３９】
撮影モードの内、シーンモード１１７ｃａを撮影モード指標１１７ｃｇに一致させると、図３に示すように、液晶モニタ１１５ａにシーン選択用の画面が表示される。本実施形態においては、シーンＳＣＮ１はポートレートモード、シーンＳＣＮ２は風景モード、シーンＳＣＮ３はスポーツモード等を表わし、図３に示すように、シーンＳＣＮ１〜シーンＳＣＮ１４まで、１４通りのシーンが用意されている。シーンの選択にあたっては、十字釦１１７ｆの上釦または下釦を操作することにより、シーンが順次変更され、ＯＫ釦１１７ｇを操作することにより、シーンが確定される。また、メニュー釦を操作することにより確定されたシーンがキャンセルされる。シーンが設定されると、システム制御部１１６は、設定されたシーンに相応しい露出制御、ＡＦ制御、画像処理等の制御を行う。上述の撮影モードダイヤル１１７ｃ等の操作部１１７やシステム制御部１１６等によって、バルブ撮影モード、ブラケット撮影モード、パノラマ撮影モード等、静止画撮影を行う際に設定可能な所定の静止画撮影モードに変更する静止画撮影モード変更手段が構成される。
【００４０】
次に、動画釦１１７ｄの機能割り当てについて、図４を用いて説明する。メニュー釦を操作し、液晶モニタ１１５ａにカスタマイズメニュー画面を開き、「ボタン機能」を選択し、十字釦１１７ｆを操作することによって動画釦１１７ｄの機能を変更することができる。すなわち、十字釦１１７ｆの上釦または下釦を操作することによって、順次、機能を変更でき、ＯＫ釦１１７ｇを操作することにより、機能を設定できる。これらの撮影機能の設定は、動画釦１１７ｄ等の操作部１１７およびシステム制御部１１６によって行われ、動画釦１１７ｄに連動する第２のスイッチのカスタマイズ手段として機能する。
【００４１】
動画釦１１７ｄに割り当てる機能が設定されると、不揮発性メモリ１１８または不図示のランダムアクセスメモリ（ＲＡＭ）にフラグ（Ｆｌａｇ）１として書き込まれる。本実施形態においては、画面中の顔と背景を適正露光とするフェイス＆バック機能、プレビュー表示を行わせるプレビュー機能、ワンタッチでホワイトバランスを設定するワンタッチＷＢ機能等、図４に示すように、１５通りの機能を割り当て可能である。
【００４２】
なお、１５通りの機能中の１０番目のＡＥＬ／ＡＦＬ機能が動画釦１１７ｄに割り当てられると、動画釦１１７ｄ操作時の画面中央の被写体に対して適正露光にするＡＥロック機能と、同被写体に対してピントを合わせるＡＦロック機能を実行する。また、１１番目の動画開始／停止機能が割り当てられると、動画釦１１７ｄの操作時に動画撮影を開始し、再度、動画釦１１７ｄが操作されると動画撮影を停止する。さらに、１３番目のＯＦＦ機能が割り当てられると、動画釦１１７ｄを操作しても何も動作を行わない。さらに、１４番目のタイム機能が割り当てられると、バルブ撮影時において動画釦１１７ｄを操作すると露光を開始し（すなわちシャッタ１０５を開き）、再度、動画釦１１７ｄを操作すると露光を終了する（すなわちシャッタ１０５を閉じる）。さらに、１５番目のモード依存機能が割り当てられると、設定されている他の撮影モード、例えば、バルブ撮影モード、ブラケット（ＢＫＴ）撮影モード、パノラマ撮影モード、多重露出撮影モード等の撮影モードに応じて、動画釦１１７ｄの機能は自動的に変更される。
【００４３】
このように、本実施形態においては、動画釦１１７ｄの本来の機能である動画開始／停止機能以外に、バルブ撮影時のタイム機能、ＡＥＬ／ＡＦＬ機能等の機能を割り当てることができる。バルブ撮影やオートブラケット撮影等は動画撮影時に使用することがなく、このような場合に頻繁に使用する、タイム機能やＡＥＬ／ＡＦＬ機能等を動画釦１１７ｄに割り当てるようにしている。
【００４４】
次に、本実施形態におけるカメラ１００の動作について、図５ないし図８に示すフローチャートを用いて説明する。このフローは不揮発性メモリ１１８に記憶されているプログラムに従ってシステム制御部１１６によって実行される。図５に示すフローはメインルーチン動作である。このメインルーチンは、操作部１１７の電源釦１１７ａがオンとなると実行を開始する。
【００４５】
メインルーチンの動作が開始すると、まず、ライブビュー動作を行う（Ｓ１）。ライブビュー動作では、撮像素子１０７から出力される画像信号が、画像処理部１１１によってライブビュー表示用に画像処理され、この処理された画像データが表示部１１５の液晶モニタ１１５ａに表示される。撮影者はこのライブビュー表示を見て、静止画や動画の構図を決定し、シャッタタイミングを決める。
【００４６】
ライブビュー動作を行うと、次に、操作部１１７のレリーズ釦１１７ｂが半押しされたか、すなわち、１ｓｔレリーズスイッチがオンか否かの判定を行う（Ｓ３）。この判定の結果、１ｓｔレリーズスイッチがオンとなると、ＡＦ処理を実行する（Ｓ５）。このステップでは、システム制御部１１６は、ＡＦ処理部１１３によって得られる合焦評価値に基づいて、撮像素子１０７上に結像される被写体像が最も鮮明になるように、言い換えると合焦状態となるように、レンズ制御部１０２を介して撮影レンズ１０１の焦点状態を制御する。
【００４７】
ＡＦ処理を行うと、続いて、測光を行い（Ｓ７）、露出演算を行う（Ｓ９）。これらのステップにおいて、システム制御部１１６は、露出制御部１１２において被写体輝度の算出を行い、算出された被写体輝度を用いて絞り値とシャッタ速度（蓄積時間）等の露出制御値を求める。絞り値とシャッタ速度の算出にあたっては、アペックス演算またはテーブル参照により決定する。
【００４８】
ステップＳ９において露出演算を行うと、または、ステップＳ３における判定の結果、１ｓｔレリーズがオンでなかった場合には、次に、動画釦１１７ｄに連動してオンオフする動画スイッチ（第２のスイッチともいう）がオンしたか否かの判定を行う（Ｓ１１）。ここでは、動画釦１１７ｄが操作されるたびに反転する動画スイッチ状態フラグのオン／オフに基づいて判定する。
【００４９】
ステップＳ１１における判定の結果、動画スイッチがオンであった場合には、次に、動画スイッチ機能処理を実行する（Ｓ１３）。動画釦１１７ｄに割り当てられた機能は、不揮発性メモリ１１８または不図示の揮発性メモリに動画釦機能参照フラグとして記憶されているので、このフラグを読出し処理内容を決定する。この動画釦機能参照フラグは、図７を用いて後述する電源オン／撮影モード変更のサブルーチンにおいて設定される。なお、動画釦１１７ｄに動画開始／停止機能が割り当てられた場合の動作について、図６を用いて後述する。
【００５０】
ステップＳ１３における動画スイッチ機能処理を実行すると、またはステップＳ１１における判定の結果、動画スイッチがオンではなかった場合には、次に、２ｎｄレリーズスイッチがオンか否かの判定を行う（Ｓ１５）。ここでは、レリーズ釦１１７ｂが全押しされたか否かを判定する。この判定の結果、２ｎｄレリーズスイッチがオンでなかった場合には、ステップＳ１に戻る。２ｎｄレリーズスイッチがオンとなるまでは、システム制御部１１６は、ステップＳ１からステップＳ１３を繰り返し実行し、ライブビュー表示を行うと共に被写体の変化に対してＡＦ（自動焦点調節）とＡＥ（自動露出制御）を追従させる。また、動画釦１１７ｄが操作されると、動画釦１１７ｄに割り当てられた機能を実行する。
【００５１】
一方、ステップＳ１５における判定の結果、２ｎｄレリーズスイッチがオンであった場合には、静止画撮影を開始する（Ｓ２１）。静止画撮影においては、システム制御部１１６は、シャッタ制御部１０６、絞り制御部１０４によってシャッタ１０５および絞り１０３適正露出となるように制御し、このとき撮像素子１０７によって取得した画像データを画像処理部１１１によって処理した後、外部メモリ１１４に記録する。
【００５２】
ステップＳ２１において、静止画撮影を開始すると、次に、ステップＳ１１と同様に、動画スイッチがオンか否かの判定を行い（Ｓ２３）、この判定の結果、動画スイッチがオンであった場合には、ステップＳ１３と同様に、動画スイッチ機能処理を実行する（Ｓ２５）。単純な１コマ撮影の場合には、２ｎｄレリーズがオンとなると静止画撮影を開始し直ちに終了するが、バルブ撮影、オートブラケット撮影、連写等においては、静止画撮影を開始しても直ちには終了しない。この間、動画釦１１７ｄを操作することにより、動画釦１１７ｄに割り当てられた機能を実行することができる。例えば、動画釦１１７ｄにタイム機能が割り当てられている場合にバルブ撮影を開始すると、動画釦１１７ｄの操作によりバルブ撮影を終了させることができる。
【００５３】
ステップＳ２５において動画スイッチ機能処理を実行すると、またはステップＳ２３における判定の結果、動画スイッチがオンでなかった場合には、次に、静止画撮影が終了したか否かの判定を行う（Ｓ２７）。ここでは、静止画の画像データの記録が終了したか否かを判定する。静止画撮影の終了は、単純な１コマ撮影の場合には、静止画の画像データを記録すると終了するが、所定の静止画撮影の場合には次の時点で撮影終了となる。
（１）連写モードの場合には、２ｎｄレリーズがオフになって、連写撮影が停止したとき、
（２）ブラケット撮影モードの場合には、所定枚数のブラケット（ＢＫＴ）撮影が終了したとき、
（３）パノラマ撮影モードの場合には、パノラマ撮影の終了が指示され、パノラマ撮影が終了したとき、
（４）多重露出撮影モードの場合には、多重露出撮影の終了が指示され、多重露出撮影が終了したとき。
ステップＳ２７における判定の結果、静止画撮影が終了していなかった場合には、ステップＳ２３に戻り、静止画撮影を続行する。一方、判定の結果、静止画撮影が終了すると、ステップＳ１に戻る。
【００５４】
次に、動画釦１１７ｄに動画の開始／停止機能が割り当てられている場合の動画撮影の動作について、図６に示すフローチャートを用いて説明する。この動画撮影のフローは、図５のステップＳ１１における判定の結果、動画スイッチがオンとなった際に、ステップＳ１３において実行される。
【００５５】
動画撮影のフローに入ると、まず、動画撮影を開始する（Ｓ３１）。ここでは、撮像素子１０７によって取得した画像データを画像処理部１１１によって動画処理した後、外部メモリ１１４に記録する。また、同時に表示部１１５にライブビュー表示を行う。
【００５６】
動画撮影を開始すると、続いて、ステップＳ１１と同様に動画スイッチがオンか否かの判定を行う（Ｓ３３）。前述したように、動画釦１１７ｄに動画撮影の開始／停止機能が割り当てられている場合には、再度、動画釦１１７ｄが操作されると、動画撮影を停止する。そこで、このステップでは、撮影者が動画撮影を停止するために、動画釦１１７ｄに連動する動画スイッチがオンしたか否かを判定する。
【００５７】
ステップＳ３３における判定の結果、動画スイッチがオンであった場合には、動画撮影停止処理を行う（Ｓ５１）。ここでは、動画の画像データの記録動作を終了するための処理を行う。この動画撮影停止処理を行うと、元のフローに戻る。
【００５８】
一方、ステップＳ３３における判定の結果、動画スイッチがオンでなかった場合には、動画の撮影を続行しながら、ステップＳ１１と同様に、１ｓｔレリーズスイッチがオンか否かの判定を行う（Ｓ３５）。本実施形態においては、動画の撮影中にレリーズ釦１１７ｂが半押しされた場合には、自動焦点調節および自動露出制御を行うようにしている。
【００５９】
ステップＳ３５における判定の結果、１ｓｔレリーズスイッチがオンであった場合には、まずＡＦ処理を行う（Ｓ３７）。動画撮影に適したＡＦ処理を行い、画面の中央等の被写体にピントを合わせる。続いて、測光を行い（Ｓ３９）、露出演算を行う（Ｓ４１）。これによって、動画撮影中であっても、被写体に対してピントが合い、かつ適正露出で動画撮影を行うことができる。
【００６０】
ステップＳ４１において露出演算を行うと、またはステップＳ３５における判定の結果、１ｓｔレリーズスイッチがオンではなかった場合には、次に、２ｎｄレリーズスイッチがオンか否かの判定を行う（Ｓ４３）。本実施形態においては、動画撮影中であっても、レリーズ釦１１７ｂが全押しされた場合には、静止画撮影を許可していることから、このステップでは、２ｎｄレリーズスイッチの状態を判定している。この判定の結果、２ｎｄレリーズスイッチがオフであった場合には、ステップＳ３３に戻り、動画釦１１７ｄが操作されない限り、動画撮影を続行する。
【００６１】
ステップＳ４３における判定の結果、２ｎｄレリーズスイッチがオンとなると、静止画撮影のためのシーケンスに移る。まず、ステップＳ５１と同様に、動画撮影停止処理を行う（Ｓ４５）。動画撮影停止処理を行うと、続いて、ステップＳ２１と同様に、静止画撮影を開始し（Ｓ４７）、静止画撮影が終了したか否かを判定する（Ｓ４９）。この判定の結果、静止画撮影が終了すると、ステップＳ３１に戻り、動画撮影を再開する。
【００６２】
このように、本実施形態における動画撮影では、動画撮影開始後に、動画釦１１７ｄが、再度、操作されると、動画撮影が停止される。また、動画撮影の最中に、レリーズ釦１１７ｄが半押しされると、ＡＦ処理やＡＥ処理等がなされ、さらにレリーズ釦１１７ｄが全押しされると、静止画撮影を行うようにしている。静止画の撮影が終了すると、直ちに、動画撮影を再開できるので、動画撮影→静止画撮影→動画撮影を円滑に切り換えることができる。なお、静止画撮影が終了すると、動画を再開することなく、静止画および動画の撮影を終了するようにしても勿論かまわない。
【００６３】
次に、本実施形態における動画釦１１７ｄに割り当てられた機能の変更について、図７を用いて説明する。本実施形態においては、撮影モードによっては、動画釦１１７ｄに割り当てる機能を特定の機能に自動的に設定する方がよい場合がある。例えば、バルブ撮影モードが設定された場合には、動画撮影を行うことがないことから、バルブ撮影の終了の指示（タイム機能）を動画釦１１７ｄに割り当ておけば便利であり、バルブ撮影終了指示用の操作部材を設けずに済みカメラの小型化を図ることができる。そこで、本実施形態においては、バルブ撮影モード等の所定静止画撮影モードが設定された場合には、電源オン／撮影モード変更のサブルーチンにおいて、自動的に予め決められた機能を動画釦１１７ｄに割り当てるようにしている。
【００６４】
この電源オン／撮影モード変更のサブルーチンは、カメラ１００の電源釦１１７ａが操作され電源オンとなったとき、および撮影モードダイヤル１１７ｃによって撮影モードが設定されたとき、およびメニュー画面において撮影モードが設定されたときに、実行される。
【００６５】
電源オン／撮影モード変更のサブルーチンに入ると、まず、バルブ撮影モードが設定されたか否かの判定を行う（Ｓ６１）。前述したように、撮影モードダイヤル１１７ｃを回動操作し、バルブ撮影モード１１７ｃｃを選択したか否かを判定する。この判定の結果、バルブ撮影モードでなかった場合には、次に、ブラケット（ＢＫＴ）撮影モードか否かの判定を行う（Ｓ６３）。ブラケット撮影モードはメニュー画面において設定されることから、このステップではメニュー画面において設定されたか否かを判定する。
【００６６】
ステップＳ６３における判定の結果、ブラケット撮影モードでなかった場合には、次に、パノラマ撮影モードであるか否かの判定を行う（Ｓ６５）。パノラマ撮影モードはシーンモード１１７ｃａにおいて設定されることから、このステップではシーンモードのシーン設定の画面において設定されたか否かを判定する。
【００６７】
ステップＳ６５における判定の結果、パノラマ撮影モードでなかった場合には、次に、多重露出撮影モードであるか否かの判定を行う（Ｓ６７）。多重露出撮影モードは、メニュー画面において設定されることから、このステップではメニュー画面において設定されたか否かを判定する。
【００６８】
ステップＳ６７における判定の結果、多重露出撮影モードでなかった場合には、次に、ムービー撮影モードであるか否かの判定を行う（Ｓ６９）。ムービー撮影モードは撮影モードダイヤル１１７ｃによって設定されることから、このステップでは、撮影モードダイヤル１１７ｃによって設定されたか否かを判定する。
【００６９】
ステップＳ６９における判定の結果、ムービー撮影モードでなかった場合には、動画釦機能参照フラグをフラグ（Ｆｌａｇ）１に変更する。フラグ１は、図４を用いて前述したように、動画釦１１７ｄの機能を割り当てた際に、設定された機能を記憶する。動画釦機能参照フラグは、ステップＳ１３、Ｓ２５において、動画スイッチ機能処理を実行する際に参照するフラグである。したがって、動画釦機能参照フラグとして、フラグ１が設定されていると、撮影者が動画釦１１７ｄに割り当てた機能がそのまま実行される。
【００７０】
ステップＳ６１〜Ｓ６９における判定の結果、いずれかにおいて、Ｙｅｓであった場合、すなわち、バルブ撮影モード、ブラケット撮影モード、パノラマ撮影モード、多重露出撮影モード、またはムービー撮影モードであった場合には、動画釦機能参照フラグをフラグ（Ｆｌａｇ）２に変更する（Ｓ７３）。これらの撮影モードの場合には、撮影者が動画釦１１７ｄに割り当てた機能ではなく、予め決められた機能に自動的に変更する。このステップＳ７３における処理は、「Ｆｌａｇ２内容変更」のサブルーチンであるので、詳細は図８に示すフローチャートを用いて説明する。
【００７１】
次に、Ｆｌａｇ２内容変更のサブルーチンについて説明する。Ｆｌａｇ２内容変更のサブルーチンに入ると、まず、ステップＳ６１と同様に、バルブ撮影モードか否かの判定を行う（Ｓ８１）。この判定の結果、バルブ撮影モードであった場合には、Ｆｌａｇ２の内容をＦｎ１４（タイム機能）に変更する（Ｓ８３）。この変更により、動画釦１１７ｄは、タイム機能が割り当てられ、動画釦１１７ｄを操作すると、バルブ撮影における撮影停止指示用の操作部材としての機能を果たす。バルブ撮影の際にタイム機能があると、ケーブルレリーズが不要となり、バルブ撮影の利便性が向上する。
【００７２】
ステップＳ８１における判定の結果、バルブ撮影モードでなかった場合には、次に、ブラケット（ＢＫＴ）撮影モードか否かの判定を行う（Ｓ８５）。この判定の結果、ブラケット撮影モードであった場合には、Ｆｌａｇ２の内容をＦｎ１０（ＡＥＬ／ＡＦＬ機能）に変更する（Ｓ８７）。ブラケット撮影モードでは、絞り値やシャッタ速度値を変化させながら、異なる露出量で複数枚の撮影を行うモードであり、基準となる露出を固定するためのＡＥＬ機能があると、ブラケット撮影の利便性が向上する。
【００７３】
ステップＳ８５における判定の結果、ブラケット撮影モードでなかった場合には、次に、パノラマ撮影モードであるか否かの判定を行う（Ｓ８９）。この判定の結果、パノラマ撮影モードであった場合には、Ｆｌａｇ２の内容をＦｎ１０（ＡＥＬ／ＡＦＬ機能）に変更する（Ｓ９１）。パノラマ撮影は、順次撮影の方向を変えながら連続的に風景を撮影するモードであるが、撮影方向によって明るさが異なる場合には、背景の明るさが不連続となってしまう。そこで、基準となる露出をＡＥＬ機能によって固定すると、パノラマ撮影の利便性が向上する。
【００７４】
ステップＳ８９における判定の結果、パノラマ撮影モードでなかった場合には、次に、多重露出撮影モードであるか否かの判定を行う（Ｓ９３）。この判定の結果、多重露出撮影モードであった場合には、Ｆｌａｇ２の内容をＦｎ１０（ＡＥＬ／ＡＦＬ機能）に変更する（Ｓ９５）。多重露出撮影は、レリーズ釦１１７ｂを全押しするたびに露光を重ねる撮影であるが、レリーズ釦１１７ｂの全押しのタイミングによって、明るさが異なって、不自然な多重露出となってしまう。そこで、足し込み露出の調整にＡＥＬ機能があると、多重露出撮影の利便性が向上する。
【００７５】
ステップＳ９３における判定の結果、多重露出撮影モードでなかった場合には、次に、ムービー撮影モードであるか否かの判定を行う（Ｓ９７）。この判定の結果、ムービー撮影モードであった場合には、Ｆｌａｇ２の内容をＦｎ１１（動画開始／停止機能）に変更する（Ｓ９９）。本実施形態においては、動画釦１１７ｄの機能は、図４を用いて説明したように種々の機能の中から選択して割り当てることができ、一方、撮影モードダイヤル１１７ｃによってムービー撮影モードを設定することができる。このため、ムービー撮影モードを選択しながら、動画釦１１７ｄに動画開始／停止機能以外の機能を割り当てた場合には、ムービー撮影の開始を行うことができない。そこで、本実施形態においては、ムービー撮影モードを設定した場合には、自動的に動画釦１１７ｄに動画開始／停止機能を割り当てるようにした。
【００７６】
ステップＳ９７における判定の結果、ムービー撮影モードでなかった場合、またはステップＳ８３、Ｓ８７、Ｓ９１、Ｓ９５、またはＳ９９においてＦｌａｇ２の内容を変更すると、元のフローに戻る。
【００７７】
以上説明したように、本発明の第１実施形態においては、動画釦１１７ｄに種々の機能の中から選択して割り当てるようにしている。これらの機能は、動画開始／停止機能を除くと、いずれも動画撮影時には使用しなか、または動画撮影時に使用しても撮影を損なうことのない機能であることから、静止画撮影用釦と動画撮影用釦を有するカメラにおいて、撮影場面での矛盾が生ぜず、また独立操作系が無駄になることがない。
【００７８】
また、本発明の第１実施形態においては、所定の撮影モード、例えば、バルブ撮影モード、ブラケット撮影モード、パノラマ撮影モード、多重露出撮影モードが設定された場合には、動画釦１１７ｄに予め決めた機能を割り当てるようにしている。このため、撮影者が、設定した撮影モードに応じて動画釦１１７ｄの機能を割り当てる動作を省略することができ便利である。
【００７９】
なお、本実施形態において、動画釦１１７ｄに予め決めた機能を割り当てるとしたバルブ撮影モード等の所定の撮影モードは例示であり、これらの撮影モードの全てについて機能を自動的に割り当てなくてもよく、また他の撮影モードに対して機能を割り当てるようにしても勿論かまわない。
【００８０】
また、本実施形態においては、電源オンまたは撮影モードの変更を行った際に、バルブ撮影モード等の所定の撮影モードの場合に動画釦１１７ｄに予め決めた機能を割り当てるようにしていた。しかし、これ以外のタイミングでもよく、例えば、動画釦１１７ｄを押下げたタイミングで、撮影待機状態にあるか否かを判定し、非撮影待機状態の場合（言い換えると、動画の記録中のときや、静止画撮影の途中である場合）に、ステップＳ６１〜Ｓ７３（図７参照）における処理を行うようにしてもよい。この場合には、システム制御部１１６等によって、静止画撮影または上記動画撮影の撮影待機状態か非撮影待機状態の何れにあるかを判定する撮影待機状態判定手段を構成する。
【００８１】
次に、本実施形態におけるＦｌａｇ２内容変更の第１の変形例について、図９および図１０を用いて説明する。第１実施形態においては、バルブ撮影モードやブラケット撮影モード等の所定静止画撮影モードが設定された場合には、それぞれの撮影モードに応じて動画釦１１７ｄの機能を割り当てていた。これに対して第１の変形例においては、所定静止画撮影モードが設定されると、一律にモード依存機能を設定するようにしている。
【００８２】
第１の変形例に係わる「Ｆｌａｇ２内容変更」のサブルーチンに入ると、第１実施形態の場合と同様に、ステップＳ８１からステップＳ９７において、バルブ撮影モードに設定されたか（Ｓ８１）、ブラケット撮影モードに設定されたか（Ｓ８５）、パノラマ撮影モードに設定されたか（Ｓ８９）、多重露出撮影モードに設定されたか（Ｓ９３）、ムービー撮影モードに設定されたか（Ｓ９７）について、それぞれ判定する。
【００８３】
ステップＳ８１からステップＳ９７のいずれかにおいて、判定結果がＹｅｓであった場合には、すなわち、設定された撮影モードが、バルブ撮影モード、ブラケット撮影モード、パノラマ撮影モード、多重露出撮影モード、ムービー撮影モードのいずれかであった場合には、Ｆｌａｇ２をＦｎ１４（モード依存機能）に設定する（Ｓ１０１）。モード依存機能は、設定されている撮影モードに応じて、設定された撮影モードで最適な機能に自動的に設定する。
【００８４】
モード依存機能について、図１０を用いて説明する。図１０はモード依存機能に設定された場合の撮影動作を示しており、一番左側のモードの欄には、設定されている撮影モードを示している。モードの欄の右側の操作順組合せの欄には、最初（１ｓｔ）にレリーズ釦１１７ｂまたは動画釦１１７ｄが操作されたときの操作内容、２番目（２ｎｄ）にレリーズ釦１１７ｂまたは動画釦１１７ｄが操作されたときの操作内容、３番目（３ｒｄ）にレリーズ釦１１７ｂまたは動画釦１１７ｄが操作されたときの操作内容を示している。
【００８５】
操作順組合せの欄の右側には、撮影動作を示しており、動作手順を示しており、さらに右にはカスタマイズについて示している。カスタマイズの欄において、ノーマルは通常状態で設定されている手順であり、○印はメニュー画面等において、変更可能な内容を示している。
【００８６】
例えば、本実施形態におけるモード依存機能は、今、スチルモード（単純な静止画撮影モード）に撮影モードが設定されている場合には、レリーズ釦１１７ｂが操作されると、静止画の撮影を行って終了する。この後、動画釦１１７ｄが操作されたとしても無視される（図中（２）の場合）。一方、スチルモードが設定されている場合であって、最初に動画釦１１７ｄが操作された場合には、動画撮影を開始し、再度動画釦１１７ｄが操作されると動画撮影を終了するが（図中（３）の場合）、レリーズ釦１１７ｂが操作された場合には、静止画を撮影し、再度動画釦１１７ｄが操作されると動画撮影を終了する（図中（４）の場合）。
【００８７】
また、バルブ撮影モードが設定されている場合には、最初にレリーズ釦１１７ｂが操作されると、静止画撮影が開始され、次にレリーズ釦１１７ｂが操作されると静止画撮影が終了するが（図中（５）の場合）、次にレリーズ釦１１７ｂではなく動画釦１１７ｄが操作されると、この操作は無視される（図中（６）の場合）。一方、最初に動画釦１１７ｄが操作されると、静止画撮影が開始され、次に、動画釦１１７ｄが操作されると静止画撮影を終了し（図中（７）の場合）、次に、動画釦１１７ｄではなくレリーズ釦１１７ｂが操作されると無視され、その次の動画釦１１７ｄの操作によって静止画撮影が終了する（図中（８）の場合）。
【００８８】
パノラマ撮影モード、多重露光撮影モード、ブラケット撮影モード、ムービー撮影モード、シャッタ速度（ｓｓ）優先ムービー撮影モード、ライブビュー（ＬｖＢ）ムービー撮影モードが設定された場合には、図１０に示すような操作手順で動作する。このように、モード依存機能に設定されると、設定された撮影モードに応じて、レリーズ釦１１７ｂと動画釦１１７ｄの操作順に応じて、最適な動作を実行する。
【００８９】
以上、説明したように本発明の第１実施形態における第１の変形例においては、バルブ撮影モード等の所定静止画撮影モードに設定すると、自動的にモード依存機能に設定され、設定された撮影モードに応じて動画釦１１７ｄの機能が最適になる。なお、図１０では、スチル撮影モード等、図９のフローチャートの判定条件に示されていない撮影モードが記載されているが、モード依存機能は、図４において説明したように、撮影者が意図的に設定できる機能であるからである。
【００９０】
次に、本実施形態におけるＦｌａｇ２内容変更の第２の変形例について、図１１を用いて説明する。第２の変形例においては、所定静止画撮影モードが設定されると、一律にオフ機能を設定し、動画釦１１７ｄの操作に対して何も処理を実行しないようにしている。
【００９１】
図１１に示す本変形例のＦｌａｇ２内容変更のサブルーチンに入ると、第１実施形態の場合と同様に、ステップＳ８１からステップＳ９３において、バルブ撮影モードに設定されたか（Ｓ８１）、ブラケット撮影モードに設定されたか（Ｓ８５）、パノラマ撮影モードに設定されたか（Ｓ８９）、多重露出撮影モードに設定されたか（Ｓ９３）について、それぞれ判定する。
【００９２】
ステップＳ８１からステップＳ９３のいずれかにおいて、判定結果がＹｅｓであった場合には、すなわち、設定された撮影モードが、バルブ撮影モード、ブラケット撮影モード、パノラマ撮影モード、多重露出撮影モードのいずれかであった場合には、Ｆｌａｇ２をＦｎ１３（オフ機能）に設定する（Ｓ１１１）。オフ機能に設定されると、動画釦１１７ｄが操作されても何も処理を実行しない。
【００９３】
このため、本変形例においては、バルブ撮影モード等の所定静止画撮影モードが設定された場合、撮影者が誤って動画釦１１７ｄに不適当な機能を割り当てたとしても、その機能の処理がなされることがない。
【００９４】
次に、本発明の第２実施形態について図１２を用いて説明する。本発明の第１実施形態においては、動画釦１１７ｄに動画開始／停止機能以外の機能を割り当てると、ムービー撮影モードに設定しても、動画撮影を行うことができない。これに対して、第２実施形態においては、ムービー撮影モードが設定された場合には、レリーズ釦１１７ｂの操作によって動画撮影の開始と停止を行うことができるようにしている。
【００９５】
本実施形態における構成は、第１実施形態の構成と同様であり、図５に示したメインフローを図１２に示すフローチャートに変更するだけである。また、図１２に示すメインフローは、図５に示すメインフローに対して、ステップＳ１７ないしＳ２０を追加しただけである。そこで、この相違点を中心説明する。
【００９６】
メインフローに入ると、ライブビュー動作を行い（Ｓ１）、またレリーズ釦１１７ｂの半押しがなされると、ＡＦ処理、測光処理、露出演算を行い（Ｓ５〜Ｓ９）、動画釦１１７ｄが操作されると動画スイッチ機能処理を行う（Ｓ１１、Ｓ１３）。そして、レリーズ釦１１７ｂの全押しがなされると（Ｓ１５→Ｙｅｓ）、ムービー撮影モードが設定されているか否かを判定する（Ｓ１７）。ここでは、撮影モードダイヤル１１７ｃによってムービー撮影モードが設定されたか否かを判定する。
【００９７】
ステップＳ１７における判定の結果、ムービー撮影モードが設定されていた場合には、ステップＳ３１（図６参照）と同様に、動画撮影を開始する（Ｓ１８）。ここでは、撮像素子１０７によって取得した画像データを画像処理部１１１によって動画処理した後、外部メモリ１１４に記録する。また、同時に表示部１１５に記録画像のライブビュー表示を行う。
【００９８】
動画撮影を開始すると、次に、２ｎｄレリーズスイッチがオンか否かの判定を行う（Ｓ１９）。ここでは、レリーズ釦１１７ｂが全押しされたか否かを判定する。この判定の結果、２ｎｄレリーズスイッチがオフからオンに変化しなかった場合には、２ｎｄレリーズスイッチがオンとなるまで、動画撮影を継続する。ステップＳ１９における判定の結果、２ｎｄレリーズスイッチがオフからオンに変化すると、動画撮影を終了する（Ｓ２０）。ここでは、ステップＳ５１と同様に、動画の画像データの記録動作を終了するための処理を行う。
【００９９】
動画撮影を終了すると、またはステップＳ１７における判定の結果、ムービー撮影モードでなかった場合には、第１実施形態と同様に、ステップＳ２１以下を実行する。すなわち、レリーズ釦１１７ｂが操作されたかことから静止画撮影を開始し（Ｓ２１）、動画スイッチが操作された場合には動画スイッチ機能処理を行い（Ｓ２３、Ｓ２５）、静止画撮影が終了したかを判定し（Ｓ２７）、終了していない場合には、ステップＳ２３に戻り、一方、判定の結果、終了した場合にはステップＳ１に戻る。
【０１００】
このように、本発明の第２実施形態においては、動画釦１１７ｄに動画開始／停止機能以外の機能を割り当てた場合には、レリーズ釦１１７ｂに動画撮影の開始と停止機能を割り当てるようにしている。このため、動画釦１１７ｄに動画開始／停止機能以外の機能を割り当てた場合であっても、動画撮影を行うことができる。
【０１０１】
以上、説明したように、本発明の各実施形態や各変形例においては、静止画撮影を行うレリーズ釦１１７ｂに連動する第１のスイッチ（２ｎｄレリーズスイッチ）と、動画撮影の開始及び停止を行う動画釦１１７ｄに連動する第２のスイッチと、第２のスイッチを、動画撮影の開始及び停止機能を含み少なくとも２つ以上の撮影機能を選択的に設定するカスタマイズ手段と（図４参照）、静止画撮影を行う静止画撮影モードを所定の静止画撮影モードに変更する静止画撮影モード変更手段と（図３参照）、を有し、静止画撮影モード変更手段によって変更された所定の静止画撮影モードに応じて、第２のスイッチを動画撮影開始及び停止機能以外の機能に切り替えるようにしている。すなわち、所定の静止画モードに変更された場合に、動画釦１１７ｄに動画撮影開始及び停止機能以外の所定の静止画モードに相応しい機能を割り当てるようにしている。このため、静止画撮影用釦と動画撮影用釦を有するカメラにおいて、撮影場面での矛盾が生ぜず、また独立操作系が無駄にならない。
【０１０２】
なお、本発明の各実施形態や各変形例においては、撮影モードの設定にあたっては、バルブ撮影モードは撮影モードダイヤル１１７ｃの操作によって、パノラマ撮影モードは、シーンモードの中での操作によって、またブラケット撮影モードと多重露出撮影モードは、メニュー画面での操作によって行っていた。しかし、撮影モードの設定はこれらに限定されず、各手段によって設定するようにしてもよい。
【０１０３】
また、本発明の各実施形態や各変形例においては、所定の静止画撮影モードとして、バルブ撮影モード、ブラケット撮影モード、パノラマ撮影モード、多重露出撮影モードを挙げて説明したが、これらのすべてについて、動画釦１１７ｄに予め決めた機能を割り当てなくてもよく、また、これら以外の静止画撮影モードが設定された場合に、機能を自動的に割り当てるようにしてもよい。
【０１０４】
また、本実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。いずれにしても、静止画撮影と動画撮影の可能な撮影機器であれば、本発明を適用することができる。
【０１０５】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１０６】
１０・・・カメラ本体、２０・・・交換レンズ、１００・・・デジタルカメラ、１０１・・・撮影レンズ、１０２・・・レンズ制御部、１０３・・・絞り機構、１０４・・・絞り制御部、１０５・・・シャッタ、１０６・・・シャッタ制御部、１０７・・・撮像素子、１０８・・・撮像制御部、１０９・・・Ａ／Ｄ変換部、１１０・・・メモリ、１１１・・・画像処理部、１１２・・・露出制御部、１１３・・・ＡＦ処理部、１１４・・・外部メモリ、１１５・・・表示部、１１５ａ・・・液晶モニタ、１１６・・・システム制御部、１１７・・・操作部、１１７ａ・・・電源釦、１１７ｂ・・・レリーズ釦、１１７ｃ・・・撮影モードダイヤル、１１７ｃａ・・・シーンモード、１１７ｃｂ・・・ムービー撮影モード、１１７ｃｃ・・・バルブ撮影モード、１１７ｃｇ・・・撮影モード指標、１１７ｄ・・・動画釦、１１７ｅ・・・ファンクション釦、１１７ｆ・・・十字釦、１１７ｇ・・・ＯＫ釦、１１８・・・不揮発性メモリ、１１９・・・電源部、１２０・・・電源制御部、１２１・・・フラッシュ制御部、１２２・・・フラッシュ充電部、１２３・・・フラッシュ発光部
【図２】
0005602472.tif 000002
【図１】
0005602472.tif 000003
【図３】
0005602472.tif 000004
【図４】
0005602472.tif 000005
【図５】
0005602472.tif 000006
【図６】
0005602472.tif 000007
【図７】
0005602472.tif 000008
【図８】
0005602472.tif 000009
【図９】
0005602472.tif 000010
【図１０】
0005602472.tif 000011
【図１１】
0005602472.tif 000012
【図１２】
0005602472.tif 000013